(57)【要約】【課題】縦横いずれの揺れに対しても耐震性が高く、給湯管の温水タンクとの接続部の破壊を防止することができる温水タンクの耐震装置を提供する。【解決手段】３組の連結部材１０が、温水タンクの給湯管３からそれぞれ放射状に伸びている。各天板固定部材１１が、２枚の平板を各平板に沿った１本の回転軸で結合して成り、一方の平板１１ａが温水タンクの天板２に固定されている。各第１中間部材１２が、給湯管３と各天板固定部材１１の一方の平板１１ａとに接続されている。各壁固定部材１３が、３枚の平板を縦方向に沿った１本の回転軸１１ｄで回転可能に結合して成り、１枚の平板１３ａを突出させて２枚の平板１３ｂ，１３ｃが壁面１に固定されている。互いに接続されたコイルバネ１４および第２中間部材１５が、各天板固定部材１１の他方の平板１１ｂと各壁固定部材１３の突出する平板１３ａとに接続されている。【選択図】図１
0003110415.tif 000002
【実用新案登録請求の範囲】
【請求項１】
少なくとも三方を壁面で囲まれた空間に設置され、天板の中央部から給湯管が上方に伸びる温水タンクの耐震装置であって、
前記給湯管からそれぞれ放射状に伸びる３組の連結部材を有し、
各連結部材は天板固定部材と第１中間部材と壁固定部材とコイルバネと第２中間部材とを有し、
各天板固定部材は２枚の平板を各平板に沿った１本の回転軸で回転可能に結合して成り、一方の平板が前記天板に固定され、
各第１中間部材は前記給湯管と各天板固定部材の前記一方の平板とに接続され、
各壁固定部材は３枚の平板を縦方向で各平板に沿った１本の回転軸で回転可能に結合して成り、１枚の平板を突出させて２枚の平板が前記壁面に固定され、
各コイルバネは一端が各天板固定部材の他方の平板に接続され、
各第２中間部材は各コイルバネの他端と各壁固定部材の突出する前記平板とに接続されていることを、
特徴とする温水タンクの耐震装置。
【考案の詳細な説明】
【技術分野】
【０００１】
本考案は、温水タンクの耐震装置に関する。
【背景技術】
【０００２】
電気給湯器などの温水タンクは、地震などにより断水したとき、内部の水を非常用の水として利用できる利点がある。しかし、貯水した状態の温水タンクは、地震の振動で転倒する危険があり、転倒した場合、内部の水が漏れ出て水浸しとなるおそれがある。そのうえ、内部の水の利用もできなくなる。そこで、従来、地震による転倒を防止するための温水タンクの耐震装置として、帯状の金具を温水タンクの周囲に回し、その金具の両端を壁面に固定するものがある（特許文献１参照）。
【０００３】
【特許文献１】特開平９−３７８７６号公報
【考案の開示】
【考案が解決しようとする課題】
【０００４】
しかしながら、特許文献１記載の温水タンクの耐震装置は、地震の横揺れには効果的であるが、縦揺れのときは金具が変形したり壁面から外れたりして転倒しやすいという課題があった。また、給湯管が屋内の配管等に接続されているため、地震により給湯管の揺れ方と温水タンクの揺れ方とが異なる場合には、給湯管の温水タンクとの接続部が破壊されるという課題もあった。
【０００５】
本考案は、このような従来の課題に着目してなされたもので、縦横いずれの揺れに対しても耐震性が高く、給湯管の温水タンクとの接続部の破壊を防止することができる温水タンクの耐震装置を提供することを目的とする。
【課題を解決するための手段】
【０００６】
上記目的を達成するために、本考案に係る温水タンクの耐震装置は、少なくとも三方を壁面で囲まれた空間に設置され、天板の中央部から給湯管が上方に伸びる温水タンクの耐震装置であって、前記給湯管からそれぞれ放射状に伸びる３組の連結部材を有し、各連結部材は天板固定部材と第１中間部材と壁固定部材とコイルバネと第２中間部材とを有し、各天板固定部材は２枚の平板を各平板に沿った１本の回転軸で回転可能に結合して成り、一方の平板が前記天板に固定され、各第１中間部材は前記給湯管と各天板固定部材の前記一方の平板とに接続され、各壁固定部材は３枚の平板を縦方向で各平板に沿った１本の回転軸で回転可能に結合して成り、１枚の平板を突出させて２枚の平板が前記壁面に固定され、各コイルバネは一端が各天板固定部材の他方の平板に接続され、各第２中間部材は各コイルバネの他端と各壁固定部材の突出する前記平板とに接続されていることを、特徴とする。
【０００７】
本考案に係る温水タンクの耐震装置では、各第１中間部材が給湯管から放射状に３方向に伸びて、給湯管と温水タンクの天板に固定された各天板固定部材の一方の平板とに接続されているため、地震時に給湯管が温水タンクの揺れに同期して温水タンクと同じ揺れ方をする。このため、給湯管の温水タンクとの接続部の破壊を防止することができる。互いに接続されたコイルバネおよび中間部材が、温水タンクの天板から放射状に３方向に伸びて壁面に固定されているため、温水タンクが地震で倒れるのを防止することができる。
【０００８】
本考案に係る温水タンクの耐震装置では、各天板固定部材の一方の平板が天板に固定されているため、他方の平板が温水タンクの天板に対して１本の回転軸で縦方向に運動可能になっている。また、各壁固定部材の２枚の平板が壁面に固定されているため、各壁固定部材の突出する平板が壁面に対して縦方向に沿った１本の回転軸で横方向に回転可能になっている。互いに接続されたコイルバネおよび中間部材が、縦方向に移動可能な各天板固定部材の他方の平板と、横方向に回転可能な各壁固定部材の突出する平板とに接続されているため、地震の縦横いずれの揺れに対しても破壊されにくく、耐震性を高めることができる。コイルバネにより、地震による温水タンクの揺れ方と壁面の揺れ方とが異なっても、破壊されることなく柔軟に対応することができる。
【考案の効果】
【０００９】
本考案によれば、縦横いずれの揺れに対しても耐震性が高く、給湯管の温水タンクとの接続部の破壊を防止することができる温水タンクの耐震装置を提供することができる。
【考案を実施するための最良の形態】
【００１０】
以下、図面に基づき本考案の実施の形態について説明する。
図１乃至図２は、本考案の実施の形態の温水タンクの耐震装置を示している。
図１に示すように、温水タンクの耐震装置は、少なくとも三方を壁面１で囲まれた空間に設置され、３組の連結部材１０を有している。
【００１１】
図１に示すように、温水タンクは、水平に設置された円形の天板２を有し、給湯管３が天板２の中央部から上方に伸びて、屋内の配管に接続されている。給湯管３は、周囲を発泡スチロール製の断熱材４で覆われ、天板２の上部で断熱材４の周囲に金属バンド５が取り付けられている。
図１に示すように、各連結部材１０は、給湯管３からそれぞれ三方向に等間隔で放射状に伸びている。各連結部材１０は、天板固定部材１１と第１中間部材１２と壁固定部材１３とコイルバネ１４と第２中間部材１５とを有している。
【００１２】
図１および図２に示すように、各天板固定部材１１は、金属製で、２枚の平板１１ａ，１１ｂを有している。各天板固定部材１１は、各平板１１ａ，１１ｂが各平板１１ａ，１１ｂに沿った１本の回転軸１１ｃで回転可能に結合して成っている。一方の平板１１ａは、矩形状で、中央に固定孔１１ｄを有している。他方の平板１１ｂは、回転軸１１ｃに沿って垂直に折り曲げられたＬ字型の形状を成し、一方の平板１１ａと反対側の端部に接続孔１１ｅ有している。なお、各天板固定部材１１は、蝶番から成っていてもよい。
【００１３】
図１に示すように、各第１中間部材１２は、それぞれ給湯管３の金属バンド５と各天板固定部材１１の一方の平板１１ａとに接続されている。各第１中間部材１２は、各天板固定部材１１の側の一端１２ａに円環状の固定環（図示せず）が形成されている。
【００１４】
図２に示すように、各天板固定部材１１の一方の平板１１ａおよび各第１中間部材１２は、以下のようにして、ともに天板２に固定されている。すなわち、天板２の上に各天板固定部材１１の一方の平板１１ａ、ワッシャ２１、各第１中間部材１２の一端１２ａの順に載せられ、天板２の厚み、固定孔１１ｄ、ワッシャ２１および固定環を貫通して長ネジボルト２２が挿入され、長ネジボルト２２の両端からナット２３が螺合されて、天板２に固定されている。
【００１５】
図１に示すように、各壁固定部材１３は、金属製で、矩形の３枚の平板１３ａ，１３ｂ，１３ｃを有している。各壁固定部材１３は、各平板１３ａ，１３ｂ，１３ｃが縦方向で各平板１３ａ，１３ｂ，１３ｃに沿った１本の回転軸１３ｄで回転可能に結合して成っている。各壁固定部材１３は、回転軸１３ｄの方向が鉛直方向になるよう、１枚の平板１３ａを突出させて２枚の平板１３ｂ，１３ｃが壁面１に固定されている。なお、各壁固定部材１３は、二つの蝶番を組み合わせて形成されていてもよい。
【００１６】
図１に示すように、各コイルバネ１４は、一端１４ａが各天板固定部材１１の他方の平板１１ｂに接続されている。図２に示すように、各コイルバネ１４は、一端１４ａが各天板固定部材１１の他方の平板１１ｂの接続孔１１ｅに挿入された留め金２４に固定されている。
【００１７】
図１に示すように、各第２中間部材１５は、中央にターンバックル１５ａを有するワイヤから成る。各第２中間部材１５は、各コイルバネ１４の他端１４ｂと各壁固定部材１３の突出する平板１３ａとに接続されている。各第２中間部材１５は、ターンバックル１５ａにより長さ調節されて取り付けられている。
【００１８】
次に、作用について説明する。
温水タンクの耐震装置では、各第１中間部材１２が給湯管３から放射状に三方向に伸びて、給湯管３と温水タンクの天板２に固定された各天板固定部材１１の一方の平板１１ａとに接続されているため、地震時に給湯管３が温水タンクの揺れに同期して温水タンクと同じ揺れ方をする。このため、給湯管３の温水タンクとの接続部の破壊を防止することができる。互いに接続されたコイルバネ１４および第２中間部材１５が、温水タンクの天板２から放射状に三方向に伸びて壁面１に固定されているため、温水タンクが地震で倒れるのを防止することができる。
【００１９】
温水タンクの耐震装置では、各天板固定部材１１の一方の平板１１ａが水平な天板２に固定されているため、他方の平板１１ｂが温水タンクの天板２に対して１本の回転軸１１ｃで鉛直方向に運動可能になっている。また、各壁固定部材１３の２枚の平板１３ｂ，１３ｃが壁面１に固定されているため、各壁固定部材１３の突出する平板１３ａが壁面１に対して鉛直方向に沿った１本の回転軸１３ｄで水平方向に回転可能になっている。互いに接続されたコイルバネ１４および第２中間部材１５が、鉛直方向に移動可能な各天板固定部材１１の他方の平板１１ｂと、水平方向に回転可能な各壁固定部材１３の突出する平板１３ａとに接続されているため、地震の縦横いずれの揺れに対しても破壊されにくく、耐震性を高めることができる。コイルバネ１４により、地震による温水タンクの揺れ方と壁面１の揺れ方とが異なっても、破壊されることなく柔軟に対応することができる。
【００２０】
温水タンクの耐震装置は、地震時に温水タンクの転倒を防止することができるため、温水タンクの内部の水を非常用の水として利用可能にすることができ、地震対策に有効である。また、構造が単純で、既に設置されている温水タンクにも取り付けることができるため、低コストで容易に地震対策を行うことができる。
【図面の簡単な説明】
【００２１】
【図１】本考案の実施の形態の温水タンクの耐震装置の使用状態を示す平面図である。
【図２】図１に示す温水タンクの耐震装置の天板固定位置を示す正面図である。
【符号の説明】
【００２２】
１    壁面
２    天板
３    給湯管
１０  連結部材
１１  天板固定部材
１２  第１中間部材
１３  壁固定部材
１４  コイルバネ
１５  第２中間部材
【図１】
0003110415.tif 000003
【図２】
0003110415.tif 000004